(57)【要約】  【課題】  スプールを回転させることで仕掛けを巻き取って収納し、また、逆に回転させて仕掛けを繰り出す器具において、収納時に絡みにくく、滑らかにハリスを繰り出すことができるようにすることを課題とする。  【解決手段】  釣り用仕掛け巻取り器として、外周にハリスを巻くための第１スプールと、前記第１スプールと同じ回動軸を有する前記第１スプールに並列に設けられる、外周に幹糸を巻くための第２スプールと、  前記第１スプールと前記第２スプールとの境界に設けられる幹糸とハリスとの分岐部の移動を規制する分岐部移動規制手段と、前記第１スプールの前記第２スプールが設けられていない方の側面に設けられる釣り針を着脱可能に固定する釣り針固定手段とを設ける。【選択図】  図３
2006280291.tif 000002
【特許請求の範囲】
【請求項１】
外周にハリスを巻くための第１スプールと、
前記第１スプールと同じ回動軸を有する前記第１スプールに並列に設けられる、外周に幹糸を巻くための第２スプールと、
前記第１スプールと前記第２スプールとの境界に設けられる幹糸とハリスとの分岐部の移動を規制する分岐部移動規制手段と、
前記第１スプールの前記第２スプールが設けられていない方の側面に設けられる釣り針を着脱可能に固定する釣り針固定手段と
を有する釣り用仕掛け巻取り器。
【請求項２】
前記分岐部移動規制手段は、前記第1スプールと前記第２スプールとの間に設けられるドーナツ状の仕切り板により形成される請求項１に記載の釣り用仕掛け巻取り器。
【請求項３】
前記分岐部移動規制手段は、前記第１スプールの巻き取り部分の外径を前記第２スプールの巻き取り部分の外径よりも大きくすることにより生じる段差により形成される請求項１に記載の釣り用仕掛け巻取り器。
【請求項４】
前記釣り針固定手段は、前記第１スプールに固定される円盤状のフランジの外周に形成される複数の切れ込みにより形成される
請求項１から３のいずれか１項に記載の釣り用仕掛け巻取り器。
【請求項５】
前記釣り針固定手段を前記第１スプールに固定される円盤状のフランジの外周もしくは外周近傍に設けられる磁石により形成される
請求項１から３のいずれか１項に記載の釣り用仕掛け巻取り器。
【請求項６】
前記釣り用仕掛け巻取り器において、さらに、前記第２スプールの前記第１スプールが設けられていない方の側面に、前記前記第１スプールと同じ回動軸を有する、外周に道糸を巻くための第３スプールを設けた請求項１から５のいずれか１項に記載の釣り用仕掛け巻取り器。
【発明の詳細な説明】
【技術分野】
【０００１】
本発明は船釣りにおいて、仕掛けを巻き取るための器具に関する。
【背景技術】
【０００２】
鯛やハマチ等の船釣りにおいては、仕掛けはその泳層を広く探る為、１本の釣り糸に５〜１０本の釣り針が一定の間隔で設けられていることが一般的である。この仕掛けは１０〜３０ｍと大変長く、針の数も多いために、釣り船からの仕掛けの揚げ降ろしに際して絡まることが多い。これを防ぐために、特許文献１、特許文献２等に示されるように釣り針をフックや磁石で固定しながら仕掛けを平面上に折り返してまとめる方法や、特許文献３に示されるように針を固定しながら糸巻きに巻いていく方法などが採られていた。
【特許文献１】特開平８−３３２０１０
【特許文献２】特開２００２−８４９５０
【特許文献３】特開平１１−２６６７６０
【特許文献４】特開２０００−３００１３４
【発明の開示】
【発明が解決しようとする課題】
【０００３】
ところで、上記のような方法は、手で仕掛けを収納していく必要があり手間がかかってしまう。これを解決する方法として、上記特許文献４に示すようにモーターや手動で回転するスプールに仕掛けを巻き取ることが考えられる。
しかし、仕掛けをそのままスプールに巻き取っていくと幹糸と複数の長いハリスが一緒に巻き取られてしまい、この結果、幹糸とハリスが絡まったり、仕掛けを繰り出す際にハリスが幹糸との分岐部を押さえてしまい仕掛けが出なくなってしまう場合がある。
本発明は、このような問題に鑑みて、スプールを回転させることで仕掛けを巻き取って収納し、また、逆に回転させて仕掛けを繰り出す器具において、収納時に絡みにくく、滑らかにハリスを繰り出すことができるようにすることを課題とする。
【課題を解決するための手段】
【０００４】
上記課題を解決するために、本発明は次のような構成を有する。
請求項１に記載の発明は、外周にハリスを巻くための第１スプールと、前記第１スプールと同じ回動軸を有する前記第１スプールに並列に設けられる、外周に幹糸を巻くための第２スプールと、  前記第１スプールと前記第２スプールとの境界に設けられる幹糸とハリスとの分岐部の移動を規制する分岐部移動規制手段と、前記第１スプールの前記第２スプールが設けられていない方の側面に設けられる釣り針を着脱可能に固定する釣り針固定手段とを有する釣り用仕掛け巻取り器である。
このような構成を有する釣り用仕掛け巻き取り器の使用に際しては、第２スプールに仕掛けの幹糸を巻きつけながら、幹糸とハリスとの分岐部がスプール上に位置したところで、この分岐部から伸びるハリスを第１スプールに巻きつけて先端の釣り針を釣り針固定手段に固定する。なお、このハリスは、幹糸と逆方向に巻きつける。このように順次ハリスを第１スプールに巻きつけながら幹糸を第２スプールに巻くことで仕掛けの収納が完了する。仕掛けを海中に繰り出す際には、第１スプール、第２スプールを回転可能に支持することで仕掛け先端の錘の重さで、第１スプール、第２スプールが自然に回転して仕掛けが繰り出される。この際、必要であれば、釣り針固定手段に固定されている釣り針を順次、手ではずしていく。
請求項２に記載の発明は、前記釣り用仕掛け巻取り器において、前記分岐部移動規制手段を、前記第1スプールと前記第２スプールとの間に設けられるドーナツ状の仕切り板により形成したものである。
請求項３に記載の発明は、前記釣り用仕掛け巻取り器において、前記分岐部移動規制手段を、前記第１スプールの巻き取り部分の外径を前記第２スプールの巻き取り部分の外径よりも大きくすることにより生じる段差により形成したものである。
請求項４に記載の発明は、前記釣り用仕掛け巻取り器において、前記釣り針固定手段を、前記第１スプールに固定される円盤状のフランジの外周に形成される複数の切れ込みにより形成したものである。
請求項５に記載の発明は、前記釣り用仕掛け巻取り器において、前記釣り針固定手段を前記第１スプールに固定される円盤状のフランジの外周もしくは外周近傍に設けられる磁石により形成したものである。
請求項６に記載の発明は、前記釣り用仕掛け巻取り器において、さらに、前記第２スプールの前記第１スプールが設けられていない方の側面に、前記第１スプールと同じ回動軸を有する、外周に道糸を巻くための第３スプールを設けたものである。
【発明の効果】
【０００５】
請求項１に記載の発明は、幹糸とハリスとの分岐部が分岐部移動規制手段により移動を規制されているので、ハリスと幹糸が確実にそれぞれ異なるスプールに巻き取られることになり、収納時にもハリスと幹糸が絡まる可能性を低減することができ、また、巻き取られたハリスが幹糸とハリスとの分岐部を押さえることがないので、仕掛けを繰り出す際にも滑らかにハリスを繰り出すことができる。
請求項２に記載の発明は、ドーナツ状の板により分岐部移動規制手段を構成することで簡易かつ低コストで製造することができる。
請求項３に記載の発明は、前記第１スプールの巻き取り部分の外径を前記第２スプールの巻き取り部分の外径よりも大きくすることにより生じる段差により前記分岐部移動規制手段を構成することで、やはり、簡易かつ低コストで製造することができる。
請求項４に記載の発明は、前記釣り針固定手段を、前記第１スプールに固定される円盤状のフランジの外周に形成される複数の切れ込みとすることで、第２スプールの幹糸と第１スプールのハリスの巻きつけ方向を逆にしておけば、幹糸とハリスとの分岐部が繰り出されるとこれに連なるハリスも第１スプールから繰り出され、このハリスが全て繰り出されると切れ込みに挟持される釣り針も下方に引かれて自然に落下するので、仕掛けを繰り出す際に釣り針を人がはずす手間をなくすことができる。
請求項５に記載の発明は、前記釣り針固定手段を、前記第１スプールに固定される円盤状のフランジの外周もしくは外周近傍に形成される磁石とすることで、やはり、第２スプールの幹糸と第１スプールのハリスの巻きつけ方向を逆にしておけば、幹糸とハリスとの分岐部が繰り出されるとこれに連なるハリスも第１スプールから繰り出され、このハリスが全て繰り出されると切れ込みに挟持される釣り針も下方に引かれて自然に落下するので、仕掛けを繰り出す際に釣り針を人がはずす手間をなくすことができる。
請求項６に記載の発明は、前記第２スプールの側面に設けた第３スプールに、幹糸に連結する道糸を巻き取ることで、仕掛けを海中から巻き上げる際に幹糸と道糸を別々に巻き取ることができるので、より糸が絡む可能性を低くすることができる。また、第３スプールを取り外せるようにすることで、道糸に対する仕掛けの交換も容易に行うことができる。
【発明を実施するための最良の形態】
【０００６】
（実施形態１）
以下、本発明の第１の実施形態について図面を参照しながら説明する。図１に実施形態１に係る釣り用仕掛け巻取り器Ｘの斜視図を示す。この釣り用仕掛け巻取り器Ｘは第１スプール１０、第２スプール２０、分岐部移動規制板３０、釣り針固定部４０とから構成される。第１スプール１０、第２スプール２０、分岐部移動規制板３０、釣り針固定部４０は合成樹脂により一体に形成される。
第１スプール１０は、円筒状の糸を巻きつけるドラム１１と、ドラム１１の側面に設けられる円盤状のフランジ１２とから構成される。ここでは、ドラム１１は直径１９ｃｍ、幅３ｃｍに設定され、フランジ１２は直径２３ｃｍ、厚さ３ｍｍに設定されている。また、フランジ１２の中心には、回動軸に通すための穴１２ａが設けられ、また、フランジ１２の側面には使用者が釣り用仕掛け巻取り器Ｘを回転させるためのハンドル１２ｂが取り付けられている。
第２スプール２０は、第１スプール１０と同じ回転軸を有するように第１スプールのフランジ１２が設けられていない方の側面に並列するように形成されるものであり、円筒状の糸を巻きつけるドラム２１と、ドラム２１の第１スプール１０とは反対側の側面に設けられる円盤状のフランジ２２とから構成される。ここでは、ドラム２１は直径１９ｃｍ、幅３ｃｍに設定され、フランジ２２は直径２３ｃｍ、厚さ３ｍｍに設定されている。フランジ２２の中心には、回動軸に通すための穴２２ａが設けられ、また、フランジ２２の外縁から中心に向って、２筋の切れ込み２２ｂ、２２ｂが形成されている。
分岐部移動規制板３０は、第１スプール１０と第２スプール２０との境界部分に設けられるドーナツ状の板体である。ここでは分岐部移動規制板３０の外径は２１ｃｍ、厚さ３ｍｍに形成されている。
釣り針固定部４０は、第１スプール１０のフランジ１２の外縁から中心に向って設けられる複数の釣り針もしくはハリスを挟持固定できる幅の切れ込みにより形成される。
【０００７】
次に、以上のような構成を有する釣り用仕掛け巻取り器Ｘの使用方法について説明する。まず、使用者は仕掛けを釣り用仕掛け巻取り器Ｘに巻き取った状態で船に持ち込む。図２に仕掛けＴの正面図を示す。仕掛けＴは釣り針Ｔ０をつけた複数のハリスＴ１が三叉サルカンＴ３を介して幹糸Ｔ２に連結された構造をしており、幹糸Ｔ２の一端にはフック付きサルカンを介して錘Ｔ４が設けられ、他端にはサルカンＴ５が設けられる。ここでは、針Ｔ０は幅１．５ｃｍのものが１０本取り付けられ、三叉サルカンＴ３同士の間隔が１．５ｍ、ハリスの長さが１ｍに設定されている。なお、ここでは、三叉サルカンＴ３が幹糸とハリスとの分岐部を構成するが、三叉サルカンに代えて分岐部としてビーズを使用したり、幹糸にハリスをくくりつけるような仕掛けも使用することができる。
【０００８】
使用者は、予めこの仕掛けＴを釣り用仕掛け巻取り器Ｘに巻き取っておく。なお、この際錘Ｔ４はフック付きサルカンからはずしておく。図３に仕掛けＴを巻き取った釣り用仕掛け巻き取り器Ｘの斜視図を示す。仕掛けＴを釣り用仕掛け巻取り器Ｘに巻き取る際に、使用者は、仕掛けＴのサルカンＴ５に図４に示すような、糸Ｓ１の一端にフック付きサルカンＳ３が取り付けられ、他端に伸縮自在の輪Ｓ２が形成された固定糸Ｓを使用する。巻き取る手順としては、まず、使用者はフック付きサルカンＳ３をサルカンＴ５に連結し、輪Ｓ２を仕掛けＴのサルカンＴ５から幹糸Ｔ２に通して、この状態で輪Ｓ２が第２スプール２０の内側に位置するようにして固定糸Ｓの糸Ｓ１と、仕掛けＴのサルカンＴ５に直結する幹糸Ｔ２とをそれぞれ第２スプール２０のフランジ２２に設けられた切れ込み２２ｂ、２２ｂに嵌め入れる。
次に、使用者は釣り用仕掛け巻取り器Ｘを回動できるように、フランジ１２の穴１２ａおよびフランジ２２の穴２２ａを適当な軸により軸支させ、ハンドル１２ｂを回転させながら、仕掛けＴを巻き取っていく。ここでは、フランジ１２の側からみて反時計周りにハンドル１２ｂを回転させる。このような動作により、幹糸Ｔ２は第２スプール２０のドラム２１に巻き取られていくことになる。そして、幹糸Ｔ２に連結された三叉サルカンＴ３が第２スプール上に位置したところで、回転を一端止めて、三叉サルカンＴ３からのびるハリスＴ１を第１スプール１０のドラム１１に巻き付ける。この際、ハリスＴ１の巻きつけ方向は、幹糸Ｔ２の巻きつけ方向とは逆になるようにする。ここでは、ドラム１１の大きさとハリスＴ１の長さとの関係から約１周半だけハリスＴ１はドラム１１に巻き付くことになる。そして、ハリスＴ１の先端の釣り針Ｔ０を釣り針固定部４０を構成する切れ込みに挟み込み固定する。このようにハリスＴ１を第１スプール１０に巻きつけると、三叉サルカンＴ３は及び幹糸Ｔ２は第１スプール側へ引っ張られることになるが、三叉サルカンＴ３は分岐部移動規制板３０によって第２スプール２０から第１スプールへ移動することはないので、幹糸Ｔ２が第１スプール１０へ移動することはない。以下、幹糸Ｔ２を第２スプールに巻きつけながら、三叉サルカンＴ３が第２スプールにかかる度に、ハリスＴ１を第１スプールに巻きつけ、釣り針Ｔ０を釣り針固定部４０に固定していく。この際、釣り針Ｔ０は釣り針固定部４０の同じ切れ込みに重複して係合しないようにする。これにより、図３に示すように仕掛けＴを釣り用仕掛け巻取り器Ｘに巻き取ることができる。
【０００９】
この状態の釣り用仕掛け巻き取り器Ｘを船に持ち込み、船が所定のポイントに達すると、仕掛けを海中に繰り出していく。このために、図５の分解斜視図に示す支持架台Ｂを使用する。支持架台Ｂは側面視Ｌ字状の本体部材Ｂ３の上縁に庇部Ｂ４が斜め上方に突き出すように設けられ、本体部材Ｂ３の垂直に立った板状部分の真ん中に水平に丸棒よりなる先端にネジの切られた軸Ｂ１が設けられている。また、軸Ｂ１の取り付けられた本体部材Ｂ３の表面が前記第２スプールが緩やかに嵌合できるような凹部Ｂ３ｂが形成されている。庇部Ｂ４の先端近傍にはフックＢ４ａが下垂するように設けられ、また、本体部材Ｂ３の下端の水平に設けられる板状部分の真ん中には取り付け穴Ｂ３ａが設けられる。軸Ｂ１は釣り用仕掛け巻き取り器Ｘのフランジ１２の穴１２ａおよびフランジ２２の穴２２ａを軸支するものであり、蝶ネジ、皿バネ、ワッシャーよりなる固定手段Ｂ２を釣り用仕掛け巻き取り器Ｘを挿入した後に先端部に係合させることで釣り用仕掛け巻き取り器Ｘを回動可能に固定する。また、固定手段Ｂ２は皿バネを有することにより、蝶ネジの位置によりフランジ１２に対する押圧力を調整し、回動に対する抵抗力を変更するドラグ機構が実現される。
この支持架台Ｂを軸Ｂ１が向って右を向くように、取り付け穴Ｂ３ａを介して市販の船縁固定具によって船縁に固定し、釣り用仕掛け巻き取り器Ｘを軸Ｂ１に回動可能に固定する。この状態で、仕掛けＴの幹糸Ｔ２の先端に設けられたフック付きサルカンに錘Ｔ４を取り付け、海中に投下する。この際、支持架台Ｂの固定手段Ｂ２の蝶ネジを調整し、釣り用仕掛け巻き取り器Ｘの回転制動力を調整しながら仕掛けＴを繰り出していく。仕掛けＴの三叉サルカンＴ３が繰り出されると、三叉サルカンＴ３に連結するハリスＴ１が引っ張られる。ハリスＴ１は幹糸Ｔ２とは逆方向、即ち、分岐部移動規制板３０から見て左右対称に巻かれているので、幹糸Ｔ２が繰り出される回転方向に第２スプール２０及び第１スプール１０が回転するとハリスＴも第１スプール１０から繰り出されることになる。ハリスＴ１が全て繰り出されると釣り針固定部４０に固定された釣り針Ｔ０はハリスＴ１に引っ張られて自然に釣り針固定部４０の切れ込みから外れる。仕掛けＴがすべて繰り出された後、第２スプールのフランジ２２に設けられた切れ込み２２ｂに引っ掛けてあった固定糸Ｓのフック付きサルカンＳ３を仕掛けＴの幹糸の基端に設けてあるサルカンＴ５から取り外し、このサルカンＴ５を釣竿の先端から延びる道糸の先端のフック付きサルカンに取り付ける。図６に釣竿Ｌの正面図を示す。釣竿Ｌは竿本体Ｌ０に道糸Ｌ１が巻かれたリールＬ４が固定されており、道糸Ｌ１には環付き中通し錘Ｌ３が通され、先端にフック付きサルカンＬ２が取り付けられている。道糸Ｌ１のフック付きサルカンＬ２を仕掛けのサルカンＴ５と連結させると、さらに、道糸を繰り出し、仕掛けＴを海中へと沈めていく。
【００１０】
この状態で、船が目的のポイントを通過すると、まず、釣竿のリールＬ４を巻き上げ、道糸の先端のフックつきサルカンＬ２及び仕掛けＴのサルカンＴ５が手元まで上がったらリールＬ４による巻き上げを止める。そして、サルカンＬ２及びサルカンＴ５が外側になるように、道糸Ｌ１と幹糸Ｌ２を仕掛けＴを釣り用仕掛け巻取り器Ｘの第２スプール２０のフランジ２２に設けられた切れ込み２２ｂ、２２ｂの間に引っ掛ける。その後、道糸Ｌ１の環付き中通し錘Ｌ３の環を支持架台Ｂの庇部Ｂ４先端に下垂するフックＢ４ａに引っ掛け、さらにリールＬ４をフリー状態にし、第１スプール１０のフランジ１２に設けられたハンドル１２ｂを反時計周りに回わして、仕掛けＴの幹糸Ｔ２および道糸Ｌ１を第２スプール２０に巻き取っていく。この際、環付き中通し錘Ｌ３がガイドとなって道糸Ｌ１はスムーズに第２スプール２０に巻き取られることになる。そして、仕掛けＴの三叉サルカンＴ３が第２スプール２０にかかったところで一旦回転を止めて、ハリスＴ１を第１スプール１０に反時計回り巻きつけ釣り針Ｔ０をフランジ１２の釣り針固定部４０を形成する切れ込みに係止させる。図７に、最初の釣り針Ｔ０を釣り針固定部４０に係止固定させた状態を表す斜視図を示す。この動作を三叉サルカンＴ３が第２スプール２０にかかる度に繰り返し、すべての釣り針Ｔ０を釣り針固定部４０に重ならないように固定し、幹糸Ｔ２をほぼ第２スプールへ巻き取る。その後、支持架台Ｂの固定手段Ｂ２の蝶ネジを締めることで第１スプール１０および第２スプール２０の回動を止める。
次に、仕掛けＴを海中に投入する際には、支持架台Ｂの固定手段Ｂ２の蝶ネジを緩めて、各スプールを回動可能にし、道糸Ｌ１の環付き中通し錘Ｌ３をフックＢ４ａからはずし、これを海面に向って離すとともに、仕掛けＴの錘Ｔ４も海面に向って離す。これにより、各錘の重さにより仕掛けＴおよび道糸Ｌ１が海中へ引っ張られ、第１スプール１０および第２スプール２０から繰り出されていくことになる。この際、道糸Ｌ１は竿本体Ｌ０の先端とスプールの間を環付き中通し錘Ｌ３に引かれてＶの字型に沈下し、釣り用仕掛け巻き取り器Ｘから離れるので、釣り用仕掛け巻き取り器Ｘのほぼ真下に降下する仕掛けＴに絡まる確率を低くすることができる。仕掛けＴがすべて釣り用仕掛け巻き取り器Ｘから繰り出されると、道糸Ｌ１のフック付きサルカンＬ２と仕掛けＴのサルカンＴ５も釣り用仕掛け巻き取り器Ｘのフランジ２２の切り込み２２ｂ、２２ｂから自然にはずれる。その後、釣竿ＬのリールＬ４をフリーにして道糸Ｌ１をさらに送り出すことで仕掛けの投下は完了する。
【００１１】
（実施形態２）
図８に本発明の第２の実施形態に係る釣り用仕掛け巻取り器Ｙの斜視図を示す。この釣り用仕掛け巻き取り器Ｙの実施形態１に係る釣り用仕掛け巻き取り器Ｘとの違いは、第２スプール２０の第１スプール１０とは反対側の側面に第３スプール６０が設けられている点である。第３スプール６０は、円筒状の糸を巻きつけるドラム６１と、ドラム６１の側面に設けられる円盤状のフランジ６２とから構成される。ドラム６１は直径１９ｃｍ、幅９ｃｍに設定され、フランジ６２は直径２３ｃｍ、厚さ３ｍｍに設定されている。なお、第２スプール２０のフランジ２２の外径をここでは２１ｃｍにしている。この第３スプールは第２スプール２０に一体に成型されている。
次に、この釣り用仕掛け巻き取り器Ｙの使用方法について説明する。最初に仕掛けを    海中に投入するまでは上述した釣り用仕掛け巻き取り器Ｘの使用方法と同様であり、予め第１スプール１０と第２スプール２０とを用いて仕掛けＴを巻き取っておいて船に持ち込み、釣り用仕掛け巻き取り器Ｘと同様に支持架台Ｂを用いて仕掛けＴを海中に投入し、仕掛けＴを全て繰り出した後に、釣竿Ｌの道糸Ｌ１と仕掛けＴの幹糸Ｔ２とを連結させ、さらに、道糸Ｌ１を繰り出す。
次に、仕掛けＴを巻き上げる。ここで上述した釣り用仕掛け巻き取り器Ｘでは、道糸Ｌ１と幹糸Ｔ２とを同じ第２スプール２０に巻き取ったが、本実施形態にかかる釣り用仕掛け巻き取り器Ｙでは、道糸Ｌ１を第３スプール６０に巻き取る。即ち、まず、釣竿ＬのリールＬ４を巻き取って仕掛けＴを引き上げ、仕掛けＴの幹糸Ｔ２と道糸Ｌ１とのサルカンＴ５とフック付きサルカンＬ２による連結部分が現れると、リールＬ４による巻き上げを止め、図９に示すように、この連結部分に連なる幹糸Ｔ２もしくは道糸Ｌ１を、第２スプールのフランジ２２に設けられる切れ込み２２ｂの一つに挿入し、道糸Ｌ１を第３スプール６０側へ、幹糸Ｔ２を第２スプール２０側へ振り分ける。そして、ここで、リールＬ４をフリー状態として、ハンドル１２ｂを回して道糸Ｌ１をスプール６０に、幹糸Ｔ２をスプール２０にそれぞれ巻き取っていく。その後、三叉サルカンＴ３が第２スプール２０にかかったところで実施形態１の場合と同様に、巻き上げを一旦止めて第１スプール１０にハリスＴ１を巻きつけ、釣り針Ｔ０を釣り針固定部４０に固定するという動作を繰り替えし、仕掛けＴと道糸Ｌ１の巻き取り作業が完了し図１０に示すような状態となる。
なお、第３スプール６０はここでは第２スプール２０と一体に形成しているが、第２スプール２０に対して着脱可能とすることで、仕掛けＴの幹糸Ｔ２と道糸Ｌ１とのサルカンＴ５とフック付きサルカンＬ２による連結部分が、巻き取られた糸の下にならないようにしておけば、この連結を外すとともに、第３スプール６０を第２スプール２０から分離すれば、洋上においても別の仕掛けを巻き取った第１スプールおよび第２スプールと交換することが可能になる。
【００１２】
なお、上記各実施形態における仕掛けの長さや第１スプール、第２スプール等の大きさは例示であり、適宜変更することができる。また、材質についても適宜変更してよい。
また、上記各実施形態では、分岐部移動規制手段として、分岐部移動規制板３０を用いているが、図１１に示すように、分岐部移動規制手段を前記第１スプールのドラムの外径を前記第２スプールのドラムの外径よりも大きくすることにより形成される段差３５としてもよい。このような段差３５によっても三叉サルカンの第１スプール１０への移動を規制することができる。
さらに、上記実施の形態では、ハンドル１２ｂにより手動で仕掛けＴを巻き上げたが、図１２の釣り用仕掛け巻き取り器の縦断面図に示すように電動モーターＭを内蔵させて電動により巻き上げるようにしてもよい。
そして、釣り針固定部４０に図１３（ａ）に示すような発泡ウレタンなどの軟質材料により形成されたフランジ１２と同じ外径を有し、釣り針固定部４０と同じ位置に切り込みを入れた円盤４０ａを図１３（ｂ）に示すように切れ込みの位置が一致するようにフランジ１２の外側に貼り付けるようにしてもよい。これにより、釣り針に対する挟持をある程度弱くしながら、十分に保持することができる。また、場合によっては、釣り針を円盤４０ａの表面に刺して固定することも可能となる。
さらに、釣り糸固定部４０として切れ込みに代えて、フランジ１２の外周に固定されるリング状の磁石にすることもできる。磁石の場合も切り込みと同様に使用することができるとともに、作業性もよく、取り付け位置の制約が少なくなる利点がある。
また、上記実施の形態では、第１スプールと第２スプールのドラムの外径を同じにしているが、これは同じである必要はなく、両者の外径を調整することにより、分岐部が繰り出されてからハリスが繰り出されるまでのタイミングを調整することができる。
【図面の簡単な説明】
【００１３】
【図１】実施形態１に係る釣り用仕掛け巻き取り器の斜視図である。
【図２】仕掛けを示す正面図である。
【図３】仕掛けを巻き取った実施形態１に係る釣り用仕掛け巻き取り器Ｘの斜視図である。
【図４】固定糸を示す正面図である。
【図５】支持架台を示す分解斜視図である。
【図６】釣竿を示す正面図である。
【図７】実施形態１に係る釣り用仕掛け巻き取り器の最初の釣り針を釣り針固定部に係止固定させた状態を表す斜視図である。
【図８】実施形態２に係る釣り用仕掛け巻き取り器の斜視図である。
【図９】実施形態２に係る釣り用仕掛け巻き取り器の道糸と仕掛けとの連結部分を係止した状態を示す斜視図である。
【図１０】実施形態２に係る釣り用仕掛け巻き取り器の仕掛けと道糸を巻き取った状態を示す斜視図である。
【図１１】分岐部移動規制手段の他の例を示す釣り用仕掛け巻き取り器の斜視図である。
【図１２】モーターを内蔵した釣り用仕掛け巻き取り器の縦断面図である。
【図１３】（ａ）は釣り針固定部に貼り付ける円盤を示す斜視図であり、（ｂ）は円盤を釣り用仕掛け巻き取り器に貼り付けた釣り用仕掛け巻き取り器の斜視図である。
【符号の説明】
【００１４】
Ｘ、Ｙ  釣り用仕掛け巻き取り器
１０  第１スプール
１１、２１、６１  ドラム
１２、２２、６２  フランジ
２０  第２スプール
３０  分岐部移動規制板
３５  段差
４０  釣り針固定部
６０  第３スプール
Ｔ１  ハリス
Ｔ２  幹糸
Ｔ３  三叉サルカン
【図１】
2006280291.tif 000003
【図２】
2006280291.tif 000004
【図３】
2006280291.tif 000005
【図４】
2006280291.tif 000006
【図５】
2006280291.tif 000007
【図６】
2006280291.tif 000008
【図７】
2006280291.tif 000009
【図８】
2006280291.tif 000010
【図９】
2006280291.tif 000011
【図１０】
2006280291.tif 000012
【図１１】
2006280291.tif 000013
【図１２】
2006280291.tif 000014
【図１３】
2006280291.tif 000015